(57)【要約】【課題】  携帯用ステープラのマガジンを脱着可能なカートリッジ式とする脱着可能なマガジンを有するステープラを提供する。【解決手段】  ステープラのマガジンの支持孔に支軸の直径より狭い切欠溝を設ける。  支軸は上記切欠溝が通過し得る幅を持つ長円柱とし、切欠溝を案内溝として支軸に支持孔を到達させ、支軸に支持孔を嵌める。マガジンをベース側に傾けることにより切欠溝は支軸の直径部に当たり外れなくなり回動自在となり、従来のステープラと同様に紙綴りをすることができる。【選択図】          図２
2007190622.tif 000002
【特許請求の範囲】
【請求項１】
紙綴り用の針を装填するマガジンと針を曲げる針曲台を有するベースと針を押し出すドライバを固着したハンドルを支軸で支持された携帯用のステープラにおいて、マガジンを脱着可能なカートリッジ式とするためにマガジンの支持孔に、支軸の直径より幅が狭い切次溝を設け、支軸は、マガジンを簡単に脱着できるような切欠溝が容易に通過し得る長円柱とする。切欠溝を案内溝として支持孔まで押し込み嵌める。支軸に支持されたマガジンをベースの方向に傾けることにより切欠溝は支軸の直径部に当たり、マガジンは支軸から外れなくなり回動自在となる。又、ベース又はハンドルのどちらかの一つに支軸の回転を防止するために支軸と同形の支軸固定孔を有するものとする。
上記のごとくマガジンを脱着できることを特徴とする脱着可能なマガジンを有するステープラ。
【発明の詳細な説明】
【技術分野】
【０００１】
本発明は、複数枚の紙を綴じることを目的とする携帯用のステープラにおいて、マガジンを簡単に脱着可能なカートリッジ式とするステープラに関するものである。
【背景技術】
【０００２】
従来使用されているステープラは、複数の針を装填するマガジンとドライバを固着したハンドルとドライバで押して複数枚の紙を貫通し、針を曲げる針曲台を有するベースを支軸により回動自在に支持されている。
【０００３】
上記ステープラは、綴り作業が多い職場では、ステープラのマガジン内に装填されている５０本ないし１００本の針ではすぐに消費されてしまい使用者は針を装填するのに手間がかかり煩わしかった。
【０００４】
この改善策として予備の針をステープラの蓋やキャップ及びベース等に収納しておくものが提案されている。
【０００５】
【特許文献１】特開２００４−１４２０７４号公報
【特許文献２】特開２００５−１１１６３０号公報
【特許文献３】特開２００５−１８６２０３号公報
【発明の開示】
【発明が解決しようとする課題】
【０００６】
従来、携帯用のステープラは、使用しやすいようにいろいろな工夫がなされている。
しかし、綴り作業が多い職場では、マガジン内に装填されている１００本の針はすぐに消費されてしまい、再度装填しなければならず予備針を収納した箱から針を取り出してマガジンに装填したり、ハンドルやキャップ及びベース等に収納した予備針を取り出してマガジンに装填することが、手間がかかり煩わしかった。
本発明は、これらの問題を解決するためになされたものである。
【課題を解決するための手段】
【０００７】
上記の課題を解決するために、ステープラのマガジンを脱着可能なカートリッジ式とする。図２、図３に示すように、ステープラの支軸を長円柱とし、マガジンの支持孔に、支軸の直径より狭い幅の長円柱の短径部を通過することができる切欠溝を設ける。切欠溝を案内溝として長円柱の支軸の短径部を通過し支持孔に達する。
【０００８】
上記のようにし支持孔が支軸に到達することで、マガジンは回動自在となる。この時点ではマガジンは脱着が楽に行える状態にありマガジンをベース側に倒すことにより切欠溝は回動し支軸の直径部に当たりマガジンは外れなくなり、従来のステープラと同様に紙綴り作業を行うことができる。
マガジンを外す時は、図２に示す如くハンドルとベースを開きマガジンをマガジンの切欠溝が支軸の短径部を通過できる位置まで起こすことで可能となる。
マガジン内の針は消費されてしまえば、予備の針が装填されたマガジンと交換することですぐに次の紙綴り作業に移ることができる。
【発明の効果】
【０００９】
本発明のマガジンを脱着可能なカートリッジ式のステープラを使用することにより、従来、ステープラのマガジンに針を装填する際に、針を箱から取り出して装填したり、キャップ及びハンドル又はベースに収納している予備針を取り出して狭いマガジンに装填しなくても、針を装填した予備のマガジンを準備しておくことにより簡単にマガジンを交換するだけで済み、従来のような装填のための手間や煩わしさがなくなり紙綴じ作業の能率が向上する。
【発明を実施するための最良の形態】
【００１０】
図１は、本発明に係るステープラの側面図を示す。
紙を綴じる針を装填するマガジン３と、針曲台１０を有するベース４と、針を押し出すためのドライバ５を固着したハンドル２を長円柱の支軸６で回動自在に支持している。
【００１１】
上記ステープラにおいて、針の装填を楽にするためマガジン３の脱着を可能なカートリッジ式とするものである。
上記ステープラのマガジン３を脱着できるカートリッジ式とするためにマガジン３の支持孔から図３、図４、図５に示すように、支軸の直径より狭い切欠溝９、９aを設ける。
支軸６は、図３、図４に示すように切欠溝９、９aを通過させ得る幅を持つ長円柱とする。
図１、図２、図６に示すように、ハンドル２又はベース４のどちらかの支持孔７に長円柱の支軸の回転を防止するための支軸固定孔８を有する。
支軸６に支持されたハンドル２及びベース４を図２に示すごとく開き、マガジン３の切欠溝９を案内溝として長円柱の支軸６に通し支持孔７に到達させ嵌め込む。（図４）
この時点では、マガジン３は、支軸から簡単に脱着できる。（図３）
ステープラ1を使用する状態にするためにマガジン３をベース４の方に傾けることによりマガジン３の切欠溝９は長円柱の支軸６を回動し切欠溝９は、長円柱の支軸の直径部に当たり外れなくなる。（図５）以後は、従来のステープラと同様に使用する。
針が消費されてしまえば、図２に示すようにハンドル２とベース４を開きマガジン３を交換すればよい。
上記のマガジン３を支軸６に嵌め易いように、マガジンの切欠溝の先端部を広くし、（図３、図４、図５）又、内側に曲げる(図７)ことにより支軸への装着が容易になる。
【００１２】
以上のようにマガジン３をカートリッジ式とすることで、従来のように紙綴り作業中に針が消費されてマガジン内に針が無くなった時、針を箱から取り出してマガジンに装填したり、ハンドルやキャップ及びベースに設けた予備針収納部から針を取り出して装填したりしていた手間や煩わしさを解消することができる。予備の針を装填したマガジンを準備しておけば、マガジンの交換をするだけで時間を短縮することができる。又、予備のマガジンへの針の装填は、作業の開始前又は終了後等空いた時間を利用して装填しておくとよい。
【００１３】
ステープラの支軸は長円管、楕円柱、楕円管等でもよい。
【図面の簡単な説明】
【００１４】
【図１】本発明のステープラの側面図
【図２】本発明のマガジンの脱着前後を示す側面図
【図３】マガジンの支軸と支持孔と切欠溝の部分斜視図
【図４】支軸にマガジンの支持孔を嵌め込んだ状態を示す部分図
【図５】マガジンをベース側に傾けた状態を示す部分図
【図６】ベースの支軸の固定孔を示す部分図
【図７】マガジンの切欠部先端を内側に曲げた部分図
【符号の説明】
【００１５】
１    ステープラ
２    ハンドル
３    マガジン
４    ベース
５    ドライバ
６    支軸
７    支持孔
８    支軸固定孔
９    切欠溝
１０  針曲台
【図１】
2007190622.tif 000003
【図２】
2007190622.tif 000004
【図３】
2007190622.tif 000005
【図４】
2007190622.tif 000006
【図５】
2007190622.tif 000007
【図６】
2007190622.tif 000008
【図７】
2007190622.tif 000009